(57)【特許請求の範囲】
【請求項１】
ノブ装着部（１２）を有するレバー本体（１０）と、前記ノブ装着部（１２）に押し込まれて装着される挿入孔（２３）を有する操作ノブ（２０）と、を備えた操作レバー装置であって、
前記ノブ装着部（１２）は、その基部の板幅寸法よりも先端部の板幅寸法が小さいテーパ状に形成されるとともに、そのノブ装着部（１２）には、略三角形状をなす複数の係止部（１５）が前記操作ノブ（２０）の押し込み方向にそれぞれ一体に形成され、
前記操作ノブ（２０）の挿入孔（２３）は、前記ノブ装着部（１２）のテーパ形状に対応して開口側が広く奥側が狭いテーパ孔状に形成され、
前記挿入孔（２３）の内壁面には、同挿入孔（２３）の開口部から奥側にわたって連続して延びる突部（２４）が形成され、その突部（２４）に前記複数の係止部（１５）がそれぞれくい込むように構成されていることを特徴とする操作レバー装置。
【発明の詳細な説明】
【０００１】
【発明の属する技術分野】
この発明は、操作レバー装置に関し、詳しくは、チルトステアリング用操作レバー、あるいは、その他各種操作レバーにおいて、ノブ装着部を有するレバー本体と、そのレバー本体のノブ装着部に押し込まれて装着される挿入孔を有する操作ノブと、を備えた操作レバー装置に関する。
【０００２】
【従来の技術】
この種の操作レバー装置には、例えば、実開昭６３−１５５５１４号、特開平７−２４６８２９号公報等に開示されている。
前者においては、図７に示すように、操作ノブ１２０の取付孔１１１の側面に収納凹部１２６が形成され、この収納凹部１２６に板ばね１３０が収納される。
一方、前記取付孔１１に挿入される操作軸１１０の先端部１１２には板ばね１３０の突部１３１のテーパ状の両側縁が圧接される切込み溝が形成される。そして、板ばね１３０の弾性力に基づいて、操作軸１１０の先端部１１２の外周面が取付孔１１の内壁面に押し付けられることで、操作軸１１０の先端部１１２に操作ノブ１２０が装着されるようになっている。
後者においては、図８に示すように、レバー本体２１０の端部に孔２１６が設けられる一方、レバー本体２１０が嵌挿される操作ノブ２２０の筒部２２５にその中心孔内に突出する爪２２６が設けられている。そして、レバー本体２１０の先端部が操作ノブ２２０の筒部２２５の中心孔に嵌挿されることで、レバー本体２１０の孔に爪２２６が係合し、その係合力によってレバー本体２１０の先端部に操作ノブ２２０が装着されるようになっている。
【０００３】
【発明が解決しようとする課題】
ところで、図７に示す従来の構造においては、板ばね１３０を製作して操作ノブ１２０の取付孔１１１の側面の収納凹部１２６内に組み付けなければならず、部品点数や組付工数が多くなる。さらに、板ばね１３０の弾性力に基づいて、操作軸１１０の先端部１１２の外周面を取付孔１１１の内壁面に押し付け、その操作軸１１０の先端部１１２の外周面と、取付孔１１１の内壁面との間の摩擦力によって操作軸１１０の先端部１１２に操作ノブ１２０を保持する構造である。このため、操作軸１１０から操作ノブ１２０が抜け出て外れる不具合が生じ易い。
また、図８に示す従来の構造においては、操作ノブ２２０の筒部２２５にその中心孔内に突出する爪２２６を設ける構造となっている。このため、操作ノブ２２０を合成樹脂の射出成形等によって一体成形することが困難で、操作ノブ２２０と爪２２６とを個別に形成してからこれら両者を一体状に結合しなければならず、部品点数や組付工数が多くなり、コスト高となる。
【０００４】
この発明の目的は、前記従来の問題点に鑑み、レバー本体のノブ装着部に対し操作ノブを強固に係合して保持することができ、しかも構造が簡単で、安価に提供することができる操作レバー装置を提供することである。
【０００５】
【課題を解決するための手段】
前記目的を達成するために、請求項１の発明に係る操作レバー装置は、ノブ装着部（１２）を有するレバー本体（１０）と、前記ノブ装着部（１２）に押し込まれて装着される挿入孔（２３）を有する操作ノブ（２０）と、を備えた操作レバー装置であって、
前記ノブ装着部（１２）は、その基部の板幅寸法よりも先端部の板幅寸法が小さいテーパ状に形成されるとともに、そのノブ装着部（１２）には、略三角形状をなす複数の係止部（１５）が前記操作ノブ（２０）の押し込み方向にそれぞれ一体に形成され、
前記操作ノブ（２０）の挿入孔（２３）は、前記ノブ装着部（１２）のテーパ形状に対応して開口側が広く奥側が狭いテーパ孔状に形成され、
前記挿入孔（２３）の内壁面には、同挿入孔（２３）の開口部から奥側にわたって連続して延びる突部（２４）が形成され、その突部（２４）に前記複数の係止部（１５）がそれぞれくい込むように構成されていることを特徴とする。
【０００６】
したがって、レバー本体のノブ装着部に対し操作ノブがその挿入孔において所定の押し込み長さだけ押し込まれることで、ノブ装着部の複数の係止部が挿入孔の内壁面の開口部から奥側にわたって連続して延びる突部にそれぞれくい込んで強固に係合する。そして、この係合力に基づいてレバー本体のノブ装着部に操作ノブが抜け止めされて装着される。
このため、レバー本体のノブ装着部に対し、所望とする抜け荷重をもって操作ノブを装着保持することができ、操作ノブが不測に抜け出る不具合が防止される。
また、レバー本体のノブ装着部に対する操作ノブの押し込み操作性を確保しながら、ノブ装着部の複数の係止部を操作ノブの挿入孔の内壁面の突部にそれぞれ確実にくい込ませて強固に係合させることができる。
【０００７】
【発明の実施の形態】
この発明の実施の形態を図１〜図６にしたがって説明する。
操作レバー装置を正面から表した図３及び側面から表した図４において、チルトステアリングのチルト操作用に用いられる操作レバー装置１は、レバー本体１０と操作ノブ２０とを備えている。
レバー本体１０は、平板状の金属材を素材としかつプレスの打抜加工によって所望とするレバー形状に形成されている。そして、レバー本体１０には、その一端部より部分に取付孔１１が打ち抜かれ、その取付孔１１においてチルトステアリングのチルト調整軸（図示しない）に組み付けられる。
【０００８】
レバー本体１０の他端部には、レバー本体１０のプレスの打抜によってノブ装着部１２が一体に形成されている。
図１と図２に示すように、ノブ装着部１２は、その基部の板幅寸法よりも先端部の板幅寸法が小さいテーパ状に形成されている。
ノブ装着部１２の両側部には、略三角形状をなす各複数の係止部１５が鋸歯状をなして操作ノブ２０の押し込み方向にそれぞれ形成されている。
また、図２に示すように、ノブ装着部１２の両側部に各複数の係止部１５が打抜加工される際、ノブ装着部１２は、剪断側の板幅寸法よりも破断側の板幅寸法が小さくなった断面テーパ状に打ち抜かれてる。
【０００９】
図５と図６に示すように、操作ノブ２０は、合成樹脂の射出成形によって所望とするノブ形状に一体成形され、その中央部にはノブ装着部１２に押し込まれて装着される挿入孔２３を有するボス部２２が形成されている。挿入孔２３は、ノブ装着部１２に対応して開口側が広く奥側が狭いテーパ孔状に形成されている。
また、挿入孔２３は、その断面においてノブ装着部１２の剪断側の板幅寸法に対応する孔幅寸法を有する断面四角形に形成されている。さらに、挿入孔２３の内壁面には、ノブ装着部１２の各複数の係止部１５にそれぞれ確実にくい込むように突部２４が形成されている。これら突部２４は、操作ノブ２０の射出成形と同時に挿入孔２３の開口端から奥側にわたって形成されている。
なお、操作ノブ２０にはそのボス部２２の両側部にひけ防止孔２１が形成され、操作ノブ２０の横断面において、その肉厚が略均一となるように形成されている。これによって操作ノブ２０の表面の意匠面に対するひけによる歪みの発生が防止されるようになっている。
【００１０】
この実施の形態に係る操作レバー装置は上述したように構成される。
したがって、図１と図２に示すように、レバー本体１０のノブ装着部１２に対し操作ノブ２０がその挿入孔２３において押し込まれて装着される。
この際、ノブ装着部１２の複数の係止部１５によって操作ノブ２０の挿入孔２３の両内壁面の突部２４が押圧されながら押し込まれる。そして、ノブ装着部１２に対し操作ノブ２０が所定の押し込み長さだけ押し込まれると、ノブ装着部１２の複数の係止部１５が挿入孔２３の両内壁面の突部２４にそれぞれくい込んで強固に係合する。そして、この係合力に基づいてレバー本体１０のノブ装着部１２に操作ノブ２０が抜け止めされて装着される。このため、レバー本体１０のノブ装着部１２に対し、所望とする抜け荷重をもって操作ノブ２０を装着保持することができ、操作ノブ２０が不測に抜け出る不具合が防止される。
このように、レバー本体１０のノブ装着部１２に操作ノブ２０をその挿入孔２３において押し込むことで、操作ノブ２０を装着保持することができ、部品点数や組付工数も増加されることがないため、構造が極めて簡単で、安価に提供することができる。
【００１１】
特に、この実施の形態においては、図１と図２に示すように、レバー本体１０のプレスの打抜によってノブ装着部１２が一体に形成され、そのノブ装着部１２の両側部に、略三角形状をなす各複数の係止部１５が鋸歯状をなして形成される。このため、レバー本体１０のノブ装着部１２の両側部に、各複数の係止部１５を容易に形成することができ、かつ構造が簡単で、安価に提供することができる。
また、ノブ装着部１２の両側部に各複数の係止部１５が打抜加工される際、図２に示すように、ノブ装着部１２は、剪断側の板幅寸法よりも破断側の板幅寸法が小さくなった断面テーパ状に打ち抜かれる。
一方、操作ノブ２０の挿入孔２３は、その断面においてノブ装着部１２の剪断側の板幅寸法に対応する孔幅寸法を有する断面四角形に形成されるとともに、挿入孔２３の内壁面には、ノブ装着部１２の各複数の係止部１５にそれぞれ確実にくい込むように突部２４が形成されている。
このため、ノブ装着部１２に対する操作ノブ２０の押し込み操作が容易で、しかも、ノブ装着部１２の複数の係止部１５を挿入孔２３の両内壁面の突部２４にそれぞれ確実にくい込ませて強固に係合させることができる。なお、剪断面は板幅寸法の５０パーセント〜８０パーセント程度である方が突部２４により一層確実にくい込ませることが可能となる。
【００１２】
【発明の効果】
以上述べたように、この発明によれば、レバー本体のノブ装着部に対し、操作ノブが不測に抜け出る不具合を防止することができるとともに、構造が極めて簡単で、安価に提供することができる。
【図面の簡単な説明】
【図１】  この発明の実施の形態に係る操作レバー装置のレバー本体のノブ装着部と操作ノブとの係合状態を示す縦断面図である。
【図２】  同じく図１のＩＩ−ＩＩ線に基づく断面図である。
【図３】  同じく操作レバー装置全体を示す正面図である。
【図４】  同じく操作レバー装置全体を示す側面図である。
【図５】  同じく操作ノブの横断面図である。
【図６】  同じく図５のＶＩ−ＶＩ線に基づく操作ノブの縦断面図である。
【図７】  従来のものを示す説明図である。
【図８】  他の従来のものを示す説明図である。
【符号の説明】
１  操作レバー
１０  レバー本体
１２  ノブ装着部
１５  係止部
２０  操作ノブ
２３  挿入孔
２４  突部
【図１】
0003845520.tif 000002
【図２】
0003845520.tif 000003
【図３】
0003845520.tif 000004
【図４】
0003845520.tif 000005
【図５】
0003845520.tif 000006
【図６】
0003845520.tif 000007
【図７】
0003845520.tif 000008
【図８】
0003845520.tif 000009